【事件の表示】
　特許第３２６２８５６号「テーパー付き紙筒形成用ブランク」の請求項１に係る特許に対する特許異議の申立てについて、次のとおり決定する。
【結　論】
　訂正を認める。
　特許第３２６２８５６号の請求項１に係る特許を維持する。
【理　由】
〔１〕手続の経緯
　本件特許第３２６２８５６号発明についての出願は、平成４年９月３日に特許出願され、平成１３年１２月２１日に特許権の設定登録がなされ、その後、凸版印刷株式会社より、請求項１に係る発明についての特許に対し特許異議の申立てがなされ、当審において取消しの理由を通知したところ、その指定期間内の平成１５年２月７日に意見書の提出とともに、訂正請求がなされた。
　
〔２〕訂正請求について
１　訂正請求の内容
　本件訂正請求の趣旨は、特許第３２６２８５６号の明細書を訂正請求書に添付した訂正明細書のとおり訂正することを求めるものであり、訂正事項は以下のとおりである。
　
　訂正事項ａ
　特許請求の範囲の記載
「【請求項１】円弧状曲線からなる上下の端縁と放射状直線からなる左右の端縁とで囲まれる扇形の展開形状をしたテーパー付き紙筒形成用ブランクにおいて、左右の端縁の少なくとも一方の端縁から外側に延設部分を延長して設け、該延設部分の端縁に前記扇形の放射状中心線と平行な側辺を形成したことを特徴とするテーパー付き紙筒形成用ブランク。」を、
「【請求項１】円弧状曲線からなる上下の端縁と放射状直線からなる左右の端縁とで囲まれる扇形の展開形状をしたテーパー付き紙筒形成用ブランクにおいて、左右の端縁の少なくとも一方の端縁から外側に延設部分を延長して設け、該延設部分の端縁に前記扇形の放射状中心線と平行な側辺を形成するとともに、サック貼り時に折り曲げる放射状の折線を放射状中心線を挟んで左右に設けたことを特徴とするテーパー付き紙筒形成用ブランク。」
と訂正する。
　訂正事項ｂ
　明細書の段落【０００５】の記載を、
「上記目的を達成するために、本発明は、円弧状曲線からなる上下の端縁と放射状直線からなる左右の端縁とで囲まれる扇形の展開形状をしたテーパー付き紙筒形成用ブランクにおいて、左右の端縁の少なくとも一方の端縁から外側に延設部分を延長して設け、該延設部分の端縁に前記扇形の放射状中心線と平行な側辺を形成するとともに、サック貼り時に折り曲げる放射状の折線を放射状中心線を挟んで左右に設けたことを特徴としている。」と訂正する。
　訂正事項ｃ
　明細書の段落【０００９】の記載を、
「同図に示すように、本実施例のブランク１は、円弧状曲線からなる上下の端縁ａ，ｂと上下方向に平行な直線からなる側辺ｅ，ｆとで囲まれる展開形状をしており、縦方向の放射状中心線ｘから左右等距離に放射状の折線α，βを有している。すなわち、このブランク１は、図２を参照すればよく分かるように、円弧状曲線からなる上下の端縁ａ，ｂと放射状直線からなる左右の端縁ｃ，ｄとで囲まれた形状をした従来型の扇形ブランクにおいて、左右の端縁ｃ，ｄから外側に延設部分２，３をそれぞれ延長して設け、これら延設部分２，３の端縁に放射状中心線ｘと平行な側辺ｅ，ｆを形成した形態になっている。」と訂正する。
　訂正事項ｄ  
　明細書の段落【００１２】の記載を、
「　同図に示すように、本実施例のブランク５は、円弧状曲線からなる上下の端縁ａ，ｂ、放射状直線からなる左側の端縁ｃ、上下方向の側辺ｇ’を上部に備えたくの字状の右側の端縁ｇとで囲まれる展開形状をしており、縦方向の放射状中心線ｘから左右等距離に放射状の折線α，βを有している。このブランク５は、図６を参照すればよく分かるように、円弧状曲線からなる上下の端縁ａ，ｂと放射状直線からなる左右の端縁ｃ，ｄとで囲まれた形状をした従来型の扇形ブランクにおいて、右側の端縁ｄから延設部分６を延長して設け、この延設部分６の端縁ｇに放射状中心線ｘと平行な側辺ｇ’を形成するとともに下部を斜めに切り欠いた形態になっている。」と訂正する。
　訂正事項ｅ
　明細書の段落【００１６】の記載を、
「【発明の効果】
　以上説明したように、本発明は、円弧状曲線からなる上下の端縁と放射状直線からなる左右の端縁とで囲まれる扇形の展開形状をしたテーパー付き紙筒形成用ブランクにおいて、左右の端縁の少なくとも一方の端縁から外側に延設部分を延長して設け、該延設部分の端縁に前記扇形の放射状中心線と平行な側辺を形成するとともに、サック貼り時に折り曲げる放射状の折線を放射状中心線を挟んで左右に設けた構成としたので、サック貼り機のフィーダー部にセットするに際し、この側辺の部分をガイドに当てがうことによりブランクの方向規制が可能となることから、高速のサック貼り機にかけることができるという効果を奏する。」と訂正する。
２　訂正の適否
　上記訂正について検討する。
　訂正事項ａは、特許請求の範囲第１項において、「サック貼り時に折り曲げる放射状の折線を放射状中心線を挟んで左右に設けた」との構成を付加し、テーパー付き紙筒形成用ブランクの構成を限定するものであり、この限定した構成は、願書に添付した明細書の発明の詳細な説明の段落【０００９】、【００１２】、【００１３】、【図１】〜【図３】、【図５】〜【図７】に記載されていたものであるから、この訂正は、特許請求の範囲の減縮を目的とする訂正であり、願書に添付した明細書又は図面に記載した事項の範囲内においてなされたものであり、しかも、実質上特許請求の範囲を拡張し、又は変更するものでもない。
　
　訂正事項ｂ及びｅは、特許請求の範囲の訂正に伴い、特許請求の範囲の記載と発明の詳細な説明の記載との整合を図るためにする訂正であるから、明りょうでない記載の釈明を目的とする訂正であり、訂正事項ｃ及びｄは、「縦方向中心線」を「縦方向の放射状中心線」と訂正するもので、誤記の訂正を目的とする訂正であり、これらの訂正は、願書に添付した明細書又は図面に記載した事項の範囲内においてなされたものであり、しかも、実質上特許請求の範囲を拡張し、又は変更するものでもない。
　
　したがって、上記訂正事項ａ〜ｅの訂正は、特許法等の一部を改正する法律（平成６年法律第１１６号）附則６条１項の規定によりなお従前の例によるとされる、特許法１２０条の４第３項において準用する平成６年法律第１１６号による改正前の特許法１２６条１項ただし書及び２項の規定に適合するので、本件訂正を認める。
　
〔３〕特許異議の申立てについて
１　異議申立ての理由の概要
　異議申立人は、請求項１に係る発明は、甲第１号証に記載された発明であり、又は甲第１号証に記載された発明に基いて当業者が容易に発明をすることができたものであり、特許法２９条１項又は２項の規定により特許を受けることができないものであるから、請求項１に係る発明についての特許は取り消されるべきである旨主張している。
　
　甲第１号証：特公昭５６−４１４９９号公報
　甲第２号証：実願昭４９−１０５６９４号（実開昭５１−３３１０６号）　　のマイクロフィルム
　甲第３号証：実願平２−１６６１号（実開平３−９３４１４号）のマイク　　ロフィルム
　甲第４号証：有限会社ミドウ商事取締役　風岡広（原文字は旧字体）由　　　の陳述書
　甲第５号証：有限会社平成紙工従業員　清水孝之の陳述書
　甲第６号証：有限会社小林紙器印刷従業員　小林信夫の陳述書
　甲第７号証：フジ株式会社従業員　石井正和の陳述書
　　
２　本件発明
　本件請求項１に係る発明（以下、「本件発明」という。）は、訂正明細書の特許請求の範囲の請求項１に記載されたとおりのものと認める。（上記〔２〕の「１　訂正請求の内容」の「訂正事項ａ」参照。）
　
３　甲各号証の記載事項
（１）甲第１号証（取り消しの理由に引用した刊行物１）には、図面とともに、以下の記載がある。
　ａ「１　内側の胴部シール部４を略梯形とし、該シール部４の側端部にバリヤー性を有するプラスチツクテープ３を捲着被蔽したことを特徴とする紙カツプ。
２　紙１の少なくとも片面にバリヤー性を有する合成樹脂２を積層し且つ一方の側端部ａにバリヤー性を有するプラスチツクテープ３を捲着被蔽してカツプ用原紙Ａを形成し、前記側端部ａに対し中心線Ｐを平行に配列した扇形部分５と該扇形部分５に連設し側端部ａに及ぶ胴部シール部４とよりなるカツプの胴部ブランクＢを前記カツプ用原紙Ａより打抜き、次いで合成樹脂２を積層した面を内側にして胴部ブランクＢを巻き且つ胴部シール部４を外側端部６の内側に貼合してカツプ胴部を形成することを特徴とする特許請求の範囲１記載の紙カップの製造方法。」（特許請求の範囲）
（２）甲第２号証には、断熱カップカバーに関して、以下の記載があり、第１図に、該断熱カップカバーの展開形状が示されている。
　ｂ「底板１の相対向する位置に折目ａ，ｂを介して扇形板２および３を対象的に一体に連設し、一方の扇形板２には他方の扇形板３の両側に接着する接着片４，４’を折目ｃ，ｃ’を存して設けた断熱カツプカバー。」（実用新案登録請求の範囲）
　ｃ「本考案においては折畳自在となし、又機械加工が可能な構造にして量産により安価に供給することを主目的として考案したものである。」（明細書２頁６〜８行）
（３）甲第３号証には、上方が開放された筒状ケース形のカートンに関して、以下の記載があり、第２図に、該カートンの展開形状が示されている。
　ｄ「第２図に於いて、Ａは本考案のカートンのブランク板であって、中央部で折り畳み可能な底板１の上下に夫々前側部材Ａ１と後側部材Ａ２とを夫々連設して構成している。前側部材Ａ１は前板２を中心にして、その左右両側に夫々側板３，カバー板４，貼着板５を連設して形成している。」（明細書３頁下から１行〜４頁６行）
　ｅ「本考案に係るカートンの組立構成に当たっては第３図及び第４図に示す如く、底板１を２つ折りして後側部材Ａ２を前側部材Ａ１上に折り重ね、次にカバー板４を側板９上に折り重ねると共に貼着板５を後板８の両側部に貼着することによって、第１図に示す如きカートンを組立構成することが出来る。」（同４頁下から３行〜５頁４行）
　
４　対比・判断
　本件発明と甲第１号証記載の発明とを対比すると、甲第１号証記載の、紙カツプを形成する「胴部ブランクＢ」は、第３図に、紙カツプの形状として、テーパーが付いた筒状のものが図示されているから、本件発明の「テーパー付き紙筒形成用ブランク」に相当し、また、甲第１号証記載の「胴部シール部４」は、本件発明の「延設部分」に相当する。さらに、甲第１号証の第２図には、円弧状曲線からなる上下の端縁と放射状直線からなる左右の端縁とで囲まれる扇形部分５の左外側に、側端部ａに及ぶ胴部シール部４が連設された胴部ブランクＢが図示されており、かつ、該胴部シール部４の端縁を構成する「側端部ａ」は、扇形部分５の中心線Ｐと平行な側辺であるから、両者は、
「円弧状曲線からなる上下の端縁と放射状直線からなる左右の端縁とで囲まれる扇形の展開形状をしたテーパー付き紙筒形成用ブランクにおいて、左右の端縁の少なくとも一方の端縁から外側に延設部分を延長して設け、該延設部分の端縁に前記扇形の放射状中心線と平行な側辺を形成したテーパー付き紙筒形成用ブランク」
である点で一致するものの、次の点で相違する。
　相違点
　本件発明は、サック貼り時に折り曲げる放射状の折線を放射状中心線を挟んで左右に設けたのに対し、甲第１号証記載の発明は、ブランクを巻いて筒状に形成するものであり、サック貼り時に折り曲げる放射状の折線を設けていない。
　
　そこで、上記相違点について検討する。
　甲第２号証の第１図に、断熱カップカバーに関する、扇形板の両側に接着片を延設したブランクが示され、甲第３号証の第２図に、筒状ケース形のカートンに関する、扇形の板の両側に貼着板等を延設したブランクが示されているが、いずれの図面においても、ブランクの両側の端縁が扇形の放射状中心線と平行な側辺であるのか否か明らかではなく、しかも、それらのブランクをサック貼り機にかけることも、甲第２号証、甲第３号証には記載されていない。
　また、ブランクをサック貼りする際に、ブランクにブランクの搬送方向と平行となる辺を設けて、その辺を搬送経路に設けたガイドに当接させながら搬送することにより、ブランクを位置ずれさせることなく安定して搬送することが、本件特許出願時に普通に行われていた技術であると、甲第４号証〜甲第７号証の陳述書から直に認めることはできない。
　そうすると、甲第１号証記載の発明のブランクが、延設部分の端縁に扇形の放射状中心線と平行な側辺を有するものであるとしても、巻いて筒状に形成する当該ブランクを、サック貼りするブランクとし、サック貼り時に折り曲げる放射状の折線を放射状中心線を挟んで左右に設けることは、当業者が容易に想到し得たことということはできない。
　そして、本件発明は、「延設部分の端縁に前記扇形の放射状中心線と平行な側辺を形成した」構成と相違点に挙げた構成が相俟って、「サック貼り機のフィーダー部にセットするに際し、この側辺の部分をガイドに当てがうことによりブランクの方向規制が可能となることから、高速のサック貼り機にかけることができる」という訂正明細書記載の効果を奏するものである。　
　なお、異議申立人が提出した参考資料１に、第４図として、断熱性容器の展開図が示されているが、ブランクの端縁が扇形の放射状中心線と平行な側辺であるのか否か明らかではない。
　したがって、本件発明１は、甲第１号証に記載された発明であるとも、また、甲第１号証に記載された発明に基いて当業者が容易に発明をすることができたものともすることはできない。
　
５　むすび
　以上のとおりであるから、異議申立人の主張する理由及び提出した証拠方法によっては、本件発明についての特許を取り消すことはできない。
　また、他に本件発明についての特許を取り消すべき理由を発見しない。
　よって、結論のとおり決定する。
【異議決定日】
平成１６年４月８日（２００４．４．８）
【訂正の要旨】
審決（決定）の【理由】欄参照。
（５４）【発明の名称】
テーパー付き紙筒形成用ブランク
（５７）【特許請求の範囲】
　【請求項１】　円弧状曲線からなる上下の端縁と放射状直線からなる左右の端縁とで囲まれる扇形の展開形状をしたテーパー付き紙筒形成用ブランクにおいて、左右の端縁の少なくとも一方の端縁から外側に延設部分を延長して設け、該延設部分の端縁に前記扇形の放射状中心線と平行な側辺を形成
するとともに、サック貼り時に折り曲げる放射状の折線を放射状中心線を挟んで左右に設け
【発明の詳細な説明】
　【０００１】
　【産業上の利用分野】
　本発明は、断熱二重容器の外筒やビンの首にかけるネックリングなどに使用されるテーパー付き紙筒を形成するためのブランクに関する。
　【０００２】
　【従来の技術】
　従来、断熱二重容器の外筒やビンの首にかけるネックリングとして、図９に示す如き扇形のブランク１１を組み立てたテーパー付き紙筒が使用されている。この扇形ブランク１１は、円弧状曲線からなる上下の端縁ａ，ｂと放射状直線からなる左右の端縁ｃ，ｄとで囲まれる扇形の展開形状をしたものであり、放射状折線α，βをこの順で内側に折り曲げ、糊しろ部分に接着剤Ｆを塗布して貼り合わせることにより、図１０のようにサック貼りした状態で供給され、容器本体の外側やビンの首などに装着する時点で図１１に示すようなテーパー付き紙筒１２に起こした状態とするようになっている。
　【０００３】
　【発明が解決しようとする課題】
　上記した扇形のテーパー付き紙筒形成用ブランクは、高速タイプのサック貼り機にかからず、サック貼り工程の作業効率が悪いという問題点があった。すなわち、扇形ブランクをサック貼りする場合、左右を順に折り畳んで糊付けすることから、サック貼り機では扇形ブランクにおける縦方向の中心線が送り方向と略合致した状態でブランクを搬送するようにフィーダー部で方向規制をしなければならないが、従来の扇形ブランクではこの方向にガイドされる箇所がないため、高速のサック貼り機にかけることができなかった。
　【０００４】
　本発明は、上記のような問題点に鑑みてなされたものであり、その目的とするところは、高速のサック貼り機にかかるテーパー付き紙筒形成用ブランクを提供することにある。
　【０００５】
　【課題を解決するための手段】
　上記目的を達成するために、本発明は、円弧状曲線からなる上下の端縁と放射状直線からなる左右の端縁とで囲まれる扇形の展開形状をしたテーパー付き紙筒形成用ブランクにおいて、左右の端縁の少なくとも一方の端縁から外側に延設部分を延長して設け、該延設部分の端縁に前記扇形の放射状中心線と平行な側辺を形成
するとともに、サック貼り時に折り曲げる放射状の折線を放射状中心線を挟んで左右に設け
　【０００６】
　【作用】
　上述の構成からなる本発明のテーパー付き紙筒形成用ブランクでは、サック貼り機のフィーダー部にセットするに際し、延設部分の端縁における放射状中心線に平行な側辺がガイド部分に当てがわれることによりブランクの方向規制を行うように作用する。
　【０００７】
　【実施例】
　次に、本発明の実施例を図面に基づいて説明する。
　【０００８】
　図１は本発明に係るテーパー付き紙筒形成用ブランクの一実施例を示す展開図である。
　【０００９】
　同図に示すように、本実施例のブランク１は、円弧状曲線からなる上下の端縁ａ，ｂと上下方向に平行な直線からなる側辺ｅ，ｆとで囲まれる展開形状をしており、縦方向
の放射状
　【００１０】
　このブランク１をサック貼り機にかけるには、まずブランク１を束ねた状態でサック貼り機のフィーダ部に図３の▲１▼に示す向きでセットする。この場合、両サイドの側辺ｅ，ｆが放射状中心線ｘと平行になっているので、この側辺ｅ，ｆをガイドＧに当てがうことにより中心線ｘとブランク１の進行方向とが一致するようにセットできる。このようにしてセットされたブランク１は、送られるに伴い糊ノズルから▲２▼に示すように右端に沿って接着剤Ｆが塗布される。次いで、第１折曲げセクションに送られて▲３▼に示すように折線αで折り曲げられた後、第２折曲げセクションに送られて▲４▼に示すように折線βで折り曲げられ、続いて圧着セクションに送られ、サック貼り状態となってサック貼り機から排出される。そして、このサック貼り状態で供給され、使用時に際して図４に示すようなテーパー付き紙筒４の状態に起こされる。
　【００１１】
　図５は本発明に係るテーパー付き紙筒形成用ブランクの別の実施例を示す展開図である。
　【００１２】
　同図に示すように、本実施例のブランク５は、円弧状曲線からなる上下の端縁ａ，ｂ、放射状直線からなる左側の端縁ｃ、上下方向の側辺ｇ’を上部に備えたくの字状の右側の端縁ｇとで囲まれる展開形状をしており、縦方向
の放射状
　【００１３】
　このブランク５をサック貼り機にかけるには、まずブランク５を束ねた状態でサック貼り機のフィーダ部に図７の▲１▼に示す向きでセットする。この場合、右側の側辺ｇ’が放射状中心線ｘと平行になっているので、この側辺ｇ’をガイドＧに当てがうことにより中心線ｘとブランク５の進行方向とが一致するようにセットできる。このようにしてセットされたブランク５は、最初に第１折曲げセクションに送られて▲２▼に示すように折線βで折り曲げられ、この状態で送られるに伴い糊ノズルから▲３▼に示すように中央に沿って接着剤Ｆが塗布される。次いで、第２折曲げセクションに送られて▲４▼に示すように折線αで折り曲げられた後、圧着セクションに送られ、サック貼り状態となってサック貼り機から排出される。そして、このサック貼り状態で供給され、使用時に際して図８に示すようなテーパー付き紙筒７の状態に起こされる。
　【００１４】
　上記各実施例のブランク１，５から形成される紙筒４，７は、断熱二重容器の外筒やビンの首にかけるネックリングを始めとして種々の用途に使用される。そして、用途によっては下端を内側にカールしたり、さらには底メンコを嵌め込んで紙カップの形態に加工されることもある。この場合、後者の実施例で挙げたブランク５は、延設部分６を片側にだけ設けるとともに該延設部分６の下部を斜めに切り欠いて面積を減らしているので、紙筒７とした後でその下部をカールするのが容易であり、また表面の継目が上下方向に真っ直ぐに現れるので、デザイン性も向上したものになっている。
　【００１５】
　なお、サック貼り時に折り曲げる上記の折線α，βは、押罫で形成してもよいが、折曲げを容易とするために、押罫と切込みを交互に入れたリード罫や間欠的な切込みを設けたミシン目で形成してもよいし、或いは全体をハーフカットにより形成してもよい。
　【００１６】
　【発明の効果】
　以上説明したように、本発明は、円弧状曲線からなる上下の端縁と放射状直線からなる左右の端縁とで囲まれる扇形の展開形状をしたテーパー付き紙筒形成用ブランクにおいて、左右の端縁の少なくとも一方の端縁から外側に延設部分を延長して設け、該延設部分の端縁に前記扇形の放射状中心線と平行な側辺を形成
するとともに、サック貼り時に折り曲げる放射状の折線を放射状中心線を挟んで左右に設け
【図面の簡単な説明】
　【図１】
　テーパー付き紙筒形成用ブランクの一実施例を示す展開図である。
　【図２】
　図１のブランクを従来のものと比較して説明するための図である。
　【図３】
　図１に示すブランクをサック貼り機にかけてサック貼りする時の流れを示す説明図である。
　【図４】
　図１に示すブランクから形成された紙筒を示す斜視図である。
　【図５】
　テーパー付き紙筒形成用ブランクの別の実施例を示す展開図である。
　【図６】
　図５のブランクを従来のものと比較して説明するための図である。
　【図７】
　図５に示すブランクをサック貼り機にかけてサック貼りする時の流れを示す説明図である。
　【図８】
　図５に示すブランクから形成された紙筒を示す斜視図である。
　【図９】
　従来のテーパー付き紙筒形成用ブランクの一例を示す展開図である。
　【図１０】
　図９に示すブランクをサック貼りした状態を示す図である。
　【図１１】
　図９に示すブランクから形成された紙筒を示す斜視図である。
　【符号の説明】
　１　テーパー付き紙筒形成用ブランク
　２，３　延設部分
　ｆ　側辺
　５　　テーパー付き紙筒形成用ブランク
　６　延設部分
　ｇ’　側辺
　ｘ　放射状中心線